(57)【要約】【課題】空気調和機本体または制御装置が故障にて返却された場合、確実な故障解析とその修理を実施する。【解決手段】室内機と室外機を接続し、複数の室外機に接続することが可能な集中コントローラ３により、複数室外機が制御可能な空気調和機において、室外機生産時にあらかじめ室外機制御装置４の記憶部に記憶された室外機製造番号を室外機から集中コントローラ３へ送信すると共に、室内機制御装置１に製造番号を記憶する為の記憶部１２を設け、空気調和機設置後で室内機と室外機の接続時に、室内機生産時にあらかじめ室内機制御装置１の記憶部１２に記憶された室内機製造番号を室内機から室外機を経由して、集中コントローラへ送信し、集中コントローラ３にて、全室内機及び全室外機の製造番号を記憶する。【選択図】図１
2007139313.tif 000002
【特許請求の範囲】
【請求項１】
室内機と室外機を接続し、複数の室外機に接続することが可能な集中コントローラにより、複数室外機が制御可能な空気調和機において、室外機生産時にあらかじめ室外機制御装置の記憶部に記憶された室外機製造番号を室外機から集中コントローラへ送信すると共に、室内機制御装置に製造番号を記憶する為の記憶部を設け、空気調和機設置後で室内機と室外機の接続時に、室内機生産時にあらかじめ室内機制御装置の記憶部に記憶された室内機製造番号を室内機から室外機を経由して、集中コントローラへ送信し、集中コントローラにて、全室内機及び全室外機の製造番号を記憶することが可能なことを特徴とする空気調和機の制御装置。
【請求項２】
複数の室内機が室外機へ接続する空気調和機において、空気調和機設置後で室内機と室外機の接続時に、室内機生産時にあらかじめ室内機制御装置の記憶部に記憶された室内機製造番号を複数の室内機から室外機を経由して、集中コントローラへ送信し、集中コントローラにて、全室内機及び全室外機の製造番号を記憶することが可能なことを特徴とする請求項１記載の空気調和機の制御装置。
【請求項３】
室外機の保持する通信方式と集中コントローラが保持する通信方式が異なり、室外機と集中コントローラの間に通信変換装置を設け、通信変換装置を介して接続する空気調和機において、通信変換装置の制御装置に製造番号を記憶する為の記憶部を設け、空気調和機設置後で通信変換装置と集中コントローラの接続時に、通信変換装置生産時にあらかじめ通信変換装置の制御装置の記憶部に記憶された通信変換装置製造番号を、集中コントローラへ送信し、集中コントローラにて、全通信変換装置及び全室外機、全室内機の製造番号を記憶することが可能なことを特徴とする請求項１記載の空気調和機の制御装置。
【請求項４】
集中コントローラの記憶部に記憶された全室内機及び全室外機製造番号を表示することが可能な集中コントローラの表示部において、室外機毎にその室外機に接続される複数の室内機の製造番号を関連付けて表示することを特徴とする請求項２記載の空気調和機の制御装置。
【請求項５】
集中コントローラの記憶部に記憶された全通信変換装置及び全室内機及び全室外機製造番号を表示することが可能な集中コントローラの表示部において、通信変換装置毎に接続される室外機とその室外機に接続される複数の室内機の製造番号を関連付けて表示することを特徴とする請求項３記載の空気調和機の制御装置。
【発明の詳細な説明】
【技術分野】
【０００１】
本発明は、室内機と室外機を接続し、複数の室外機に接続することが可能な集中コントローラにより、複数室外機が制御可能な空気調和機において、故障時に集中コントローラと室外機がセットになっていなくても原因解析と修理を容易にする制御装置に関するものである。
【背景技術】
【０００２】
従来、室内機及び室外機の制御装置に記憶部を設け、生産時にあらかじめ製品の種類や製造番号を記憶させておき、その内容を表示したり、その内容を用いて圧縮機制御の切換を行うなどの手法があった（例えば特許文献１参照）。
【０００３】
図９は特許文献１に記載の従来の制御装置の構成図である。コントローラ６は、室内機４や室外機５の製品形式を選定する設定部６３、選定した製品形式を記憶する記憶部６４を備え、記憶された製品形式を表示部６２に表示する。
【特許文献１】特開平６−２６５２００号公報
【発明の開示】
【発明が解決しようとする課題】
【０００４】
しかしながら、前記特許文献１では、空気調和機設置時で、室内機と室外機が接続された状態では、室内機は室外機の内容を、室外機は室内機の内容を知ることができるが、空気調和機の故障などにより電源を切られた場合や空気調和機本体が設置場所から撤去され、室内機と室外機が接続されていない状態では、過去接続されていた時の相手の室外機または室内機の内容を知ることができない。その為、故障などで室内機のみが工場などに返却された場合、簡単な故障の場合は、室内機単独での修理は可能だが、複雑な故障内容の場合、空気調和機は室内機と室外機が接続されて始めて正常な動作が可能な為故障に対する解析が十分に実施できず、故障に対する修理が完了しない場合も発生する可能性がある。また、室内機と室外機が両方返却されてきても、どの室内機とどの室外機が接続されていたかを知る手段がない為、十分な解析ができない。
【０００５】
本発明はこのような従来の課題を解決するものであり、空気調和機本体または制御装置が故障にて返却された場合、確実な故障解析とその修理を容易に実施することができる空気調和機の制御装置を提供することを目的とする。
【課題を解決するための手段】
【０００６】
室内機と室外機を接続し、複数の室外機に接続することが可能な集中コントローラにより、複数室外機が制御可能な空気調和機において、室外機生産時にあらかじめ室外機制御装置の記憶部に記憶された室外機製造番号を室外機から集中コントローラへ送信すると共に、室内機制御装置に製造番号を記憶する為の記憶部を設け、空気調和機設置後で室内機と室外機の接続時に、室内機生産時にあらかじめ室内機制御装置の記憶部に記憶された室内機製造番号を室内機から室外機を経由して、集中コントローラへ送信し、集中コントローラにて、全室内機及び全室外機の製造番号を記憶する。
【０００７】
上記構成によって、室内機と室外機を接続し、複数の室外機に接続することが可能な集中コントローラにより、複数室外機が制御可能な空気調和機において、故障時に集中コントローラと室内機と室外機がセットになって返却されなくても、１台の集中コントローラが返却された場合、複数の空気調和機のシステムにおいて確実な故障解析とその修理を容易に実施することができる空気調和機の制御装置を提供することができる。
【発明の効果】
【０００８】
本発明の空気調和機の制御装置は、１台の集中コントローラに、複数の室外機製造番号とその室外機に接続された複数の室内機製造番号を記憶することにより、故障時に集中コントローラと室内機と室外機がセットになって返却されなくても、１台の集中コントローラが返却された場合、複数の空気調和機のシステムにおいて確実な故障解析とその修理を容易に実施することができる。
【発明を実施するための最良の形態】
【０００９】
第１の発明は、１台の集中コントローラに、複数の室外機製造番号とその室外機に接続された室内機製造番号を記憶することにより、故障時に集中コントローラと室内機と室外機がセットになって返却されなくても、１台の集中コントローラが返却された場合、複数の空気調和機のシステムにおいて確実な故障解析とその修理を容易に実施することができる集中コントローラが故障にて返却された場合、確実な故障解析とその修理を容易に実施することができるという効果を奏する。
【００１０】
第２の発明は、１台の集中コントローラに、複数の室外機製造番号とその室外機に接続された複数の室内機製造番号を記憶することにより、故障時に集中コントローラと室内機と室外機がセットになって返却されなくても、１台の集中コントローラが返却された場合、複数の空気調和機のシステムにおいて確実な故障解析とその修理を容易に実施することができる集中コントローラが故障にて返却された場合、確実な故障解析とその修理を容易に実施することができるという効果を奏する。
【００１１】
第３の発明は、１台の集中コントローラに、全通信変換装置の製造番号とその通信変換装置に接続された室外機製造番号とその室外機に接続された複数の室内機製造番号を記憶することにより、故障時に集中コントローラと室内機と室外機がセットになって返却されなくても、１台の集中コントローラが返却された場合、複数の空気調和機のシステムにおいて確実な故障解析とその修理を容易に実施することができる集中コントローラが故障にて返却された場合、確実な故障解析とその修理を容易に実施することができるという効果を奏する。
【００１２】
第４の発明は、集中コントローラの記憶部に記憶された全室内機及び全室外機製造番号を表示することが可能な集中コントローラの表示部において、室外機毎にその室外機に接続される複数の室内機の製造番号を関連付けて表示することにより、故障時に集中コントローラと室内機と室外機がセットになって返却されなくても、１台の集中コントローラが返却された場合、複数の空気調和機のシステムにおいて、大変簡単に、確実な故障解析とその修理を容易に実施することができるという効果を奏する。
【００１３】
第５の発明は、集中コントローラの記憶部に記憶された全通信変換装置及び全室内機及び全室外機製造番号を表示することが可能な集中コントローラの表示部において、通信変換装置毎に接続される室外機とその室外機に接続される複数の室内機の製造番号を関連付けて表示すること室外機毎にその室外機に接続される複数の室内機の製造番号を関連付けて表示することにより、故障時に集中コントローラと室内機と室外機がセットになって返却されなくても、１台の集中コントローラが返却された場合、複数の空気調和機のシステムにおいて、大変簡単に、確実な故障解析とその修理を容易に実施することができるという効果を奏する。
【００１４】
以下本発明の実施の形態について図面を参照して説明する。
【００１５】
（実施の形態１）
図１は本発明の実施の形態１に係わる制御装置の構成図である。図１において、室内制御装置１は、マイクロコンピュータ１１、室内記憶部１２、室内通信部１３から構成され、室外制御装置２は、マイクロコンピュータ２１、室外記憶部２２、室外通信部２３から構成され、集中コントローラ３は、マイクロコンピュータ３１、集中記憶部３２、集中通信部３３から構成され、そして、室外制御装置４は、マイクロコンピュータ４１、室外記憶部４２、室外通信部４３から構成されている。
【００１６】
次に実際の動作を、図２のフローチャートを用いて説明する。まず、室外制御装置２において、マイクロコンピュータ２１により室外記憶部２２より室外製造番号を読出し、室外から集中へ室外製造番号が送信される（２０１）。そして、マイクロコンピュータ３１により室外製造番号を集中記憶部３２へ記憶される（２０２）。その後、再度、室外から集中へ室外製造番号が送信され（２０３）、マイクロコンピュータ３１にて、既に集中記憶部３２に記憶中の室外製造番号と同じか判定する（２０４）。もし、同じであれば、特に何もせず、もし、異なるのであれば、新たな室外製造番号が記憶済みの室外製造番号とは別に、集中記憶部３２へ記憶される（２０５）。室内制御装置１においても、室外制御装置２と同様に、室内製造番号が集中コントローラに記憶される。また、室外制御装置４においても、室外制御装置２と同様に、室外製造番号が集中コントローラに記憶される。
【００１７】
このように、１台の集中コントローラに、複数の室外機製造番号とその室外機に接続された室内機製造番号を記憶することにより、故障時に集中コントローラと室内機と室外機がセットになって返却されなくても、１台の集中コントローラが返却された場合、複数の空気調和機のシステムにおいて確実な故障解析とその修理を容易に実施することができる集中コントローラが故障にて返却された場合、確実な故障解析とその修理を容易に実施することができる空気調和機の制御装置を提供することができる。
【００１８】
（実施の形態２）
図３は本発明の実施の形態２に係わる制御装置の構成図である。図３において、室内制御装置Ａ１は、マイクロコンピュータ１１、室内記憶部１２、室内通信部１３から、室内制御装置Ｂ２は、マイクロコンピュータ２１、室内記憶部２２、室内通信部２３から、室外制御装置Ｃ３は、マイクロコンピュータ３１、室外記憶部３２、室外通信部３３から構成され、また、室内制御装置Ｄ４は、マイクロコンピュータ４１、室内記憶部４２、室内通信部４３から、室内制御装置Ｅ５は、マイクロコンピュータ５１、室内記憶部５２、室内通信部５３から、室外制御装置Ｆ６は、マイクロコンピュータ６１、室外記憶部６２、室外通信部６３から構成され、そして、集中コントローラ７は、マイクロコンピュータ７１、集中記憶部７２、集中通信部７３から構成されている。
【００１９】
次に実際の動作を、図４のフローチャートを用いて説明する。まず、室外制御装置Ｃ３の室外Ｃ製造番号を集中コントローラへ記憶した後、室内制御装置に関し、まず、室内制御装置Ａ１において、マイクロコンピュータ１１により室内記憶部１２から室内Ａ製造番号を読出し、室内Ａ１から室外Ｃ３を経由して集中へ室内Ａ製造番号が送信され（４０１）、マイクロコンピュータ７１により室内Ａ製造番号を集中記憶部７２へ記憶される（４０２）。また、室内制御装置Ｂ２において、マイクロコンピュータ２１により室内記憶部２２から室内Ｂ製造番号を読出し、室内Ｂ１から室外Ｃ３を経由して集中へ室内Ｂ製造番号が送信され（４０３）、マイクロコンピュータ７１により室内Ｂ製造番号を集中記憶部７２へ記憶される（４０４）。
【００２０】
その後、再度、室内Ａから集中へ室内Ａ製造番号が送信され（４０５）、マイクロコンピュータ７１にて、既に集中記憶部７２に記憶中の室内Ａ製造番号と同じか判定する（４０６）。もし、同じであれば、特に何もせず、もし、異なるのであれば、新たな室内Ａ製造番号が記憶済みの室内Ａ製造番号とは別に、集中記憶部７２へ記憶される（４０７）。
また、室内Ｂにおいても、再度、室内Ｂから集中へ室内Ｂ製造番号が送信され（４０８）、マイクロコンピュータ７１にて、既に集中記憶部７２に記憶中の室内Ｂ製造番号と同じか判定する（４０９）。もし、同じであれば、特に何もせず、もし、異なるのであれば、新たな室内Ｂ製造番号が記憶済みの室内Ｂ製造番号とは別に、集中記憶部７２へ記憶される（４１０）。同様の方法で、室外Ｆ、室内Ｄ、室内Ｅにおいても、集中コントローラ７に製造番号がそれぞれ記憶される。
【００２１】
このように、１台の集中コントローラに、複数の室外機製造番号とその室外機に接続された複数の室内機製造番号を記憶することにより、故障時に集中コントローラと室内機と室外機がセットになって返却されなくても、１台の集中コントローラが返却された場合、複数の空気調和機のシステムにおいて確実な故障解析とその修理を容易に実施することができる集中コントローラが故障にて返却された場合、確実な故障解析とその修理を容易に実施することができる空気調和機の制御装置を提供することができる。
【００２２】
（実施の形態３）
図５は本発明の実施の形態３に係わる制御装置の構成図である。図５において、室内制御装置Ａ１は、マイクロコンピュータ１１、室内記憶部１２、室内通信部１３から、室内制御装置Ｂ２は、マイクロコンピュータ２１、室内記憶部２２、室内通信部２３から、室外制御装置Ｃ３は、マイクロコンピュータ３１、室外記憶部３２、室外通信部３３から構成され、また、室内制御装置Ｄ４は、マイクロコンピュータ４１、室内記憶部４２、室内通信部４３から、室内制御装置Ｅ５は、マイクロコンピュータ５１、室内記憶部５２、室内通信部５３から、室外制御装置Ｆ６は、マイクロコンピュータ６１、室外記憶部６２、室外通信部６３から構成され、また、集中コントローラ７は、マイクロコンピュータ７１、集中記憶部７２、集中通信部７３から構成され、そして、通信変換装置Ｇ８は、マイクロコンピュータ８１、室外通信部８２、集中通信部８３、変換記憶部８４から、通信変換装置Ｈ９は、マイクロコンピュータ９１、室外通信部９２、集中通信部９３、変換記憶部９４から構成されている。
【００２３】
次に実際の動作を、図６のフローチャートを用いて説明する。まず、室外制御装置Ｃ３の室外Ｃ製造番号を集中コントローラへ記憶した後、室内制御装置に関し、まず、室内制御装置Ａ１において、マイクロコンピュータ１１により室内記憶部１２から室内Ａ製造番号を読出し、室内Ａ１から室外Ｃ３を経由して集中へ室内Ａ製造番号が送信され（６０１）、マイクロコンピュータ７１により室内Ａ製造番号を集中記憶部７２へ記憶される（６０２）。また、室内制御装置Ｂ２において、マイクロコンピュータ２１により室内記憶部２２から室内Ｂ製造番号を読出し、室内Ｂ１から室外Ｃ３を経由して集中へ室内Ｂ製造番号が送信され（６０３）、マイクロコンピュータ７１により室内Ｂ製造番号を集中記憶部７２へ記憶される（６０４）。
【００２４】
そして、通信変換装置Ｇ８において、マイクロコンピュータ８１により変換記憶部８４から変換Ｇ製造番号を読出し、変換Ｇ８から集中へ変換Ｇ製造番号が送信され（６０５）、マイクロコンピュータ７１により変換Ｇ製造番号を集中記憶部７２へ記憶される（６０６）。その後、再度、室内Ａから集中へ室内Ａ製造番号が送信され（６０７）、マイクロコンピュータ７１にて、既に集中記憶部７２に記憶中の室内Ａ製造番号と同じか判定する（６０８）。もし、同じであれば、特に何もせず、もし、異なるのであれば、新たな室内Ａ製造番号が記憶済みの室内Ａ製造番号とは別に、集中記憶部７２へ記憶される（６０９）。
【００２５】
また、室内Ｂにおいても、再度、室内Ｂから集中へ室内Ｂ製造番号が送信され（６１０）、マイクロコンピュータ７１にて、既に集中記憶部７２に記憶中の室内Ｂ製造番号と同じか判定する（６１１）。もし、同じであれば、特に何もせず、もし、異なるのであれば
、新たな室内Ｂ製造番号が記憶済みの室内Ｂ製造番号とは別に、集中記憶部７２へ記憶される（６１２）。
【００２６】
そして、変換Ｇにおいても、再度、変換Ｇから集中へ変換Ｇ製造番号が送信され（６１３）、マイクロコンピュータ７１にて、既に集中記憶部７２に記憶中の変換Ｇ製造番号と同じか判定する（６１４）。もし、同じであれば、特に何もせず、もし、異なるのであれば、新たな変換Ｇ製造番号が記憶済みの変換Ｇ製造番号とは別に、集中記憶部７２へ記憶される（６１５）。同様の方法で、室外Ｆ、室内Ｄ、室内Ｅ、変換Ｈにおいても、集中コントローラ７に製造番号がそれぞれ記憶される。
【００２７】
このように、１台の集中コントローラに、全通信変換装置の製造番号とその通信変換装置に接続された室外機製造番号とその室外機に接続された複数の室内機製造番号を記憶することにより、故障時に集中コントローラと室内機と室外機がセットになって返却されなくても、１台の集中コントローラが返却された場合、複数の空気調和機のシステムにおいて確実な故障解析とその修理を容易に実施することができる集中コントローラが故障にて返却された場合、確実な故障解析とその修理を容易に実施することができる空気調和機の制御装置を提供することができる。
【００２８】
（実施の形態４）
図７は本発明の実施の形態４に係わる集中コントローラの外観図である。図７を用いて説明する。尚、表示部は図1の集中コントローラ内でマイクロコンピュータに接続されているが、図示は省略してある。
【００２９】
まず、スイッチ部で室内外関連図表示用操作を行うと、表示部に記載されているように、室外機とその室外機に接続されている室内機の関連図が表示される。その後、更に製造番号表示用操作を実施すると、全ての室外機及び室内機の製造番号が表示される。
【００３０】
このように、集中コントローラの記憶部に記憶された全室内機及び全室外機製造番号を集中コントローラの表示部に表示することが可能な表示部において、室外機毎にその室外機に接続される複数の室内機の製造番号を関連付けて表示することにより、故障時に集中コントローラと室内機と室外機がセットになって返却されなくても、１台の集中コントローラが返却された場合、複数の空気調和機のシステムにおいて、大変簡単に、確実な故障解析とその修理を容易に実施することができる空気調和機の制御装置を提供することができる。
【００３１】
（実施の形態５）
図８は本発明の実施の形態５に係わる集中コントローラの外観図である。図８を用いて説明する。
【００３２】
まず、スイッチ部で室内外及び通信変換装置の関連図表示用操作を行うと、表示部に記載されているように、通信変換装置とその通信変換装置に接続されている室内機及び室内機の関連図が表示される。その後、更に製造番号表示用操作を実施すると、全ての通信変換装置、室外機及び室内機の製造番号が表示される。
【００３３】
このように、集中コントローラの記憶部に記憶された全通信変換装置及び全室内機及び全室外機製造番号を集中コントローラの表示部に表示することが可能な表示部において、通信変換装置毎に接続される室外機とその室外機に接続される複数の室内機の製造番号を関連付けて表示すること室外機毎にその室外機に接続される複数の室内機の製造番号を関連付けて表示することにより、故障時に集中コントローラと室内機と室外機がセットになって返却されなくても、１台の集中コントローラが返却された場合、複数の空気調和機の
システムにおいて、大変簡単に、確実な故障解析とその修理を容易に実施することができる空気調和機の制御装置を提供することができる。
【図面の簡単な説明】
【００３４】
【図１】本発明の実施の形態１における制御装置の構成図
【図２】本発明の実施の形態１に係るフローチャート
【図３】本発明の実施の形態２における制御装置の構成図
【図４】本発明の実施の形態２に係るフローチャート
【図５】本発明の実施の形態３における制御装置の構成図
【図６】本発明の実施の形態３に係るフローチャート
【図７】本発明の実施の形態４における集中コントローラの外観図
【図８】本発明の実施の形態５における集中コントローラの外観図
【図９】従来の制御装置の構成図
【符号の説明】
【００３５】
１  室内制御装置
１１  マイクロコンピュータ
１２  室内記憶部
１３  室内通信部
２  室外制御装置
２１  マイクロコンピュータ
２２  室外記憶部
２３  室外通信部
３  集中コントローラ
３１  マイクロコンピュータ
３２  集中記憶部
３３  集中通信部
４  室外制御装置
４１  マイクロコンピュータ
４２  室外記憶部
４３  室外通信部
【図１】
2007139313.tif 000003
【図２】
2007139313.tif 000004
【図３】
2007139313.tif 000005
【図４】
2007139313.tif 000006
【図５】
2007139313.tif 000007
【図６】
2007139313.tif 000008
【図７】
2007139313.tif 000009
【図８】
2007139313.tif 000010
【図９】
2007139313.tif 000011